(57)【要約】【課題】照合判定できずにリジェクトされた抽選券の原因を、オペレータが確認する必要があるが、リジェクトされた抽選券を繰返し調べるなどその負担は大きい。【解決手段】照合判定後、あたり券やはずれ券以外に、照合判定はできたが期限切れの券や抽選前の券がある場合（ステップ１０６）は、オペレータが処理しやすいように、それらを、あたり券やはずれ券とは別にしてＣスタッカに排出し且つその旨の画面表示をするようにする（ステップ１１４、１１７）。また、不読券がある場合は、１枚であればオペレータが容易に確認できるようにしＣスタッカに排出し、且つその旨の表示を行い（ステップ１２０、１２９、１４０、１３５）、不読券が複数枚ある場合は、不読の要因を推定するために抽選券挿入口に不読券を再投入することを画面表示で促す（ステップ１２２、１３１、１４２、１３７）。【選択図】  図３
2004272613.tif 000002
【特許請求の範囲】
【請求項１】
投入された抽選券の抽選番号をイメージデータとして読取り、該イメージデータを上位装置に送信し、上位装置から照合判定結果を受信する抽選券判別装置において、前記照合判定結果を、あたり券及びはずれ券と、照合判定はできたがリジェクトされた券と、照合判定できない不読券に分類し、この分類別のパターン表示と、排出先のスタッカ画面表示を行うことを特徴とする抽選券判別装置。
【請求項２】
前記照合判定はできたがリジェクトされた券を、抽選期限切れの券と抽選前の券に分類し、分類別のパターン表示と、排出先のスタッカ画面表示を行うことを特徴とする請求項１記載の抽選券判別装置。
【請求項３】
前記あたり券を、高額あたり券と、高額でないあたり券に分類し、分類別のパターン表示と、排出先のスタッカ画面表示を行うことを特徴とする請求項１または２記載の抽選券判別装置。
【請求項４】
投入された抽選券の抽選番号をイメージデータとして読取り、該イメージデータを上位装置に送信し、上位装置から照合判定結果を受信する抽選券判別装置において、前記照合判定結果を、あたり券及びはずれ券と、照合判定はできたがリジェクトされた券と、照合判定できない不読券に分類し、この分類別のパターン表示と、排出先のスタッカ画面表示を行い、さらに前記不読券が再度投入された場合、該不読券の抽選番号を再度イメージデータとして読取り、このイメージデータの濃度と連続性を検査し、汚れ券、破れ券、裏返し券、それ以外の券に分類し、この分類別のパターン表示と、排出先のスタッカ画面表示を行うことを特徴とする抽選券判別装置。
【請求項５】
前記照合判定はできたがリジェクトされた券を、抽選期限切れの券と抽選前の券に分類し、前記あたり券及びはずれ券と、抽選期限切れの券と、抽選前の券と、照合判定できない不読券とに分類してパターン表示し、かつ排出先のスタッカ画面を表示し、この後、前記不読券が再度投入された場合、汚れ券、破れ券、裏返し券、それ以外の券に分類し、この分類別のパターン表示と、排出先のスタッカ画面表示を行うことを特徴とする請求項４記載の抽選券判別装置。
【発明の詳細な説明】
【０００１】
【発明の属する技術分野】
本発明は宝くじ等の抽選券の当落を判定する装置に係り、特に照合判定できずにリジェクトされた抽選券の、リジェクト要因を推定し表示する抽選券判別装置に関する。
【０００２】
【従来の技術】
従来は、特許文献１に記載されているように、判定及び判定結果印字後の当り券を抽選券挿入口に戻し、且つ判定及び判定結果印字後の外れ券をスタッカに排出することによって、多数のスタッカを用意することなく、あたり券、はずれ券の分類を小型装置で容易に行うことができる抽選券照合分類装置が知られている。また、特許文献１には、判定手段が抽選券の真偽判定を行い、偽券と判定された抽選券及び前記判定手段による抽選券の判定が不能な抽選券とを前記抽選券挿入口に戻すことにより、挿入口に戻された抽選券のうち、判定結果が印字されていない抽選券をリジェクト券又は偽券であると容易に判別することができることが記載されている。
【０００３】
【特許文献１】
特開平６−３３７８９２号公報（第３頁、図７）
【０００４】
【発明が解決しようとする課題】
上記特許文献１で述べられている抽選券照合分類装置では、当落判定の結果（あたり、はずれ）に重点が置かれ、リジェクトされた抽選券が何が原因でリジェクトされたのか、その原因の究明については言及されていない。
【０００５】
しかしながら、抽選券判別装置を使用する金融機関などにおいては、リジェクトされた抽選券が何故リジェクトされたのかその原因を、オペレータが確認する必要があり、リジェクトされた抽選券を繰返し調べるなどその負担は大きい。
【０００６】
本発明の目的は、上位装置が照合判定できずにリジェクトされた抽選券のリジェクト要因を、抽選券を複数回読取ることで推定し、要因の組合せパターン画面と排出先のスタッカ画面を表示することで、オペレータの確認作業を軽減することができる抽選券判別装置を提供することである。
【０００７】
【課題を解決するための手段】
上記目的を達成するために本発明の抽選券判別装置は、投入された抽選券の抽選番号をイメージデータとして読取り、該イメージデータを上位装置に送信し、上位装置から照合判定結果を受信し、前記照合判定結果を、あたり券及びはずれ券と、照合判定はできたがリジェクトされた券と、照合判定できない不読券に分類し、この分類別のパターン表示と、排出先のスタッカ画面表示を行うことを特徴とする。
【０００８】
また、前記照合判定はできたがリジェクトされた券を、抽選期限切れの券と抽選前の券に分類し、分類別のパターン表示と、排出先のスタッカ画面表示を行う。
【０００９】
さらに、前記あたり券を、高額あたり券と、高額でないあたり券に分類し、分類別のパターン表示と、排出先のスタッカ画面表示を行う。
【００１０】
上記目的を達成するために本発明の抽選券判別装置は、投入された抽選券の抽選番号をイメージデータとして読取り、該イメージデータを上位装置に送信し、上位装置から照合判定結果を受信し、前記照合判定結果を、あたり券及びはずれ券と、照合判定はできたがリジェクトされた券と、照合判定できない不読券に分類し、この分類別のパターン表示と、排出先のスタッカ画面表示を行い、さらに前記不読券が再度投入された場合、該不読券の抽選番号を再度イメージデータとして読取り、このイメージデータの濃度と連続性を検査し、汚れ券、破れ券、裏返し券、それ以外の券に分類し、この分類別のパターン表示と、排出先のスタッカ画面表示を行うことを特徴とする。
【００１１】
また、前記照合判定はできたがリジェクトされた券を、抽選期限切れの券と抽選前の券に分類し、前記あたり券及びはずれ券と、抽選期限切れの券と、抽選前の券と、照合判定できない不読券とに分類してパターン表示し、かつ排出先のスタッカ画面を表示し、この後、前記不読券が再度投入された場合、汚れ券、破れ券、裏返し券、それ以外の券に分類し、この分類別のパターン表示と、排出先のスタッカ画面表を行う。
【００１２】
【発明の実施の形態】
本発明の一実施例を図面を参照して説明する。図１は本発明の一実施例による抽選券判別装置１の構成と、抽選券判別装置１を上位装置であるホストコンピュータ２０に接続したシステム構成を示す図である。図２はホストコンピュータ２０が付属の記憶装置に保有する当選番号と賞金額のテーブルを示す。
【００１３】
本実施例による抽選券判別装置１は、装置全体を制御し、ホストコンピュータ２０との間でデータの送受信を行う制御部２と、抽選券を単数又は複数枚一括投入することのできる挿入口３と、挿入口３に挿入された抽選券を一枚ずつ搬送路５に繰出す分離ローラ４と、搬送路５を搬送される抽選券のバーコードをイメージデータとして読取り制御部２に送信するバーコードリーダ６と、バーコードが読取れた抽選券の通番を採り、通番とイメージデータをホストコンピュータ２０に送信し、通番を履歴記憶部８に送信する制御部２と、ホストコンピュータ２０から照合判定結果（当落結果）を制御部２が受信し、制御部２の指示を受け当該抽選券に当落結果と通番を印字する印字機構７と、同じく制御部２の指示を受け抽選券の照合履歴を記憶する履歴記憶部８と、複数のスタッカ９と、表示装置１０を備える。なお、上記バーコードリーダ６の代わりに光学文字読取装置を使用しても良い。
【００１４】
ホストコンピュータ２０は、図２に示される当選番号と賞金額の対応表をテーブルとして付属の記憶装置に保有しており、抽選券判別装置１から受信したイメージデータに基づいて前記テーブルを参照し、該当する番号があるかどうか照合し、あれば「あたり」と判定し、「あたり」であることの情報と対応の賞金額と通番を抽選券判別装置１に送信し、テーブルに該当する番号が無ければ「はずれ」であることの情報と通番を抽選券判別装置１に送信する。抽選券判別装置１の制御部２は、ホストコンピュータ２０から受信した照合判定結果と通番を印字機構７と履歴記憶部８に送信し、印字機構７は抽選券に印字を行い、履歴記憶部８は照合履歴として記憶する。また、表示装置１０は、制御部２から照合判定結果を受信し表示する。
【００１５】
制御部２は、ホストコンピュータ２０が照合判定できずにリジェクトした抽選券について、バーコードリーダ６が読取ったイメージデータを分析し、リジェクトの要因、たとえば、抽選券の「汚れ」、「破れ」、「裏返し」、「それ以外」を推定する。この推定は、イメージデータの濃度を検査することにより、券が汚れているのか、券が裏返しであるのかの推定が可能である。また、イメージデータの連続性を検査することにより券の破れを推定することができる。
【００１６】
次に図３〜図３２を参照して上記システムの処理動作を説明する。図３及び図４は処理動作を示すフローチャートであり、図５乃至図３２は表示装置１０に表示する照合判定結果の組合せパターン別表示画面と排出先スタッカ画面を示す。まず、オペレータが抽選券の照合と分類を行なう場合、抽選券判別装置１の抽選券挿入口３に抽選券を単数又は複数枚一括投入（１回目）する（ステップ１００）。
【００１７】
抽選券は分離ローラ４により一枚ずつ搬送路５に繰出され、バーコードリーダ６まで搬送される。抽選券に印刷されたバーコードによる抽選番号はバーコードリーダ６にイメージデータとして読取られ、制御部２に送信されて通番が採られる。イメージデータが読取れない場合には、制御部２は通番を採らない。制御部２は通番を履歴記憶部８に送信し、履歴記憶部８は通番を記憶する。制御部２は通番とイメージデータをホストコンピュータ２０に送信する。ホストコンピュータ２０は上記テーブルを参照し照合判定（当落判定）を行い、照合判定結果を抽選券判別装置１に返信する（ステップ１０１）。抽選券判別装置１は、照合判定した抽選券をスタッカ９の予め決められた１つのＣスタッカに全て排出し（ステップ１０２）、表示装置１０に表示画面「１」（図５）をパターン表示する。
【００１８】
オペレータは表示画面「１」のパターン表示にしたがい、Ｃスタッカに排出された全ての抽選券を再度抽選券挿入口３に投入する（２回目）（ステップ１０３）。抽選券判別装置１は前記と同様に抽選券のバーコードを読取り、制御部２は投入された抽選券が２回目のものかどうかを確認する。新しく追加された抽選券や新たにバーコードが読取れた抽選券がある場合は、通番を採り、履歴記憶部８に記憶し、イメージデータと新たな通番をホストコンピュータ２０に送信し（ステップ１０５）、ホストコンピュータ２０から照合判定結果を受取り履歴記憶部８に照合履歴を記憶する（（１０１）。
【００１９】
次に抽選券判別装置１はステップ１０６において、ホストコンピュータ２０にて照合し当落判定ができた抽選券（あたり、はずれ）とそれ以外のリジェクト要因（抽選期限切れ、抽選前、不読）のある抽選券に分け、当落判定できた抽選券（あたり券、はずれ券）のみの場合は、抽選券に当落判定結果を印字機構７にて印字し（ステップ１０７）、当落判定結果を照合履歴として履歴記憶部８に記憶し（ステップ１０８）、表示画面「２」（図６）をパターン表示し（ステップ１０９）、あたり券をＡスタッカに、はずれ券をＢスタッカに排出する（ステップ１１０）。オペレータは表示画面２のパターン表示にしたがって、ＡスタッカとＢスタッカに排出されたあたり券とはずれ券について所定の処理を行う。本実施例では、あたり券をＡスタッカに、はずれ券をＢスタッカに排出したが、あたり券の中に高額券がある場合は、Ｃスタッカも使用し、高額券をＡスタッカに、高額でないあたり券をＢスタッカに、はずれ券をＣスタッカに排出することもできる。以下、あたり券とはずれ券のパターン表示と排出するスタッカ画面の表示及びオペレータの処理は、上記と同じであるため説明は省略する。また、抽選券への当落判定結果の印字は印字機構７にて行うので、以下、「印字する」として説明する。
【００２０】
ステップ１０６において、あたり券及びはずれ券と、リジェクト要因（抽選期限切れ、抽選前、不読）がある券の場合は、まず、あたり券、はずれ券に当落判定結果を印字し（ステップ１１１）、当落判定結果を照合履歴として履歴記憶部８に記憶し（ステップ１１２）、次にリジェクト要因のある券を抽選期限切れの券のみと（ステップ１１３）、抽選前の券のみと（ステップ１１６）、不読券のみ（ステップ１１８）に分け、抽選期限切れの券のみの場合（ステップ１１３）は、表示画面「３」（図７）をパターン表示し（ステップ１１４）、あたり券をＡスタッカに、はずれ券をＢスタッカに、抽選期限切れの券をＣスタッカに排出する（ステップ１１５）。オペレータは表示画面「３」のパターン表示にしたがって、Ｃスタッカに排出された抽選券を期限切れの券として処理する。
【００２１】
リジェクト要因が抽選前の券のみの場合は（ステップ１１６）、表示画面「４」（図８）をパターン表示し（ステップ１１７）、抽選前の券をＣスタッカに排出する（ステップ１１５）。オペレータは表示画面「４」のパターン表示にしたがって、Ｃスタッカに排出された抽選券を抽選前の券として処理する。
【００２２】
リジェクト要因が不読券のみの場合は（ステップ１１８）、まず不読券の枚数が１枚か２枚以上かに分け（ステップ１１９）、１枚の場合は表示画面「５」（図９）をパターン表示し（ステップ１２０）、不読券をＣスタッカに排出する（ステップ１２１）。オペレータは表示画面「５」のパターン表示にしたがって、Ｃスタッカに排出された１枚の不読券を取出し、不読の原因を調査する。この場合、調査対象は１枚なのでオペレータにとって負担となる作業ではない。不読券の枚数が２枚以上の場合は、表示画面「６」（図１０）をパターン表示し（ステップ１２２）、不読券をＣスタッカに排出する（ステップ１２３）。オペレータは表示画面「６」のパターン表示にしたがって、Ｃスタッカに排出された不読券を抽選券挿入口３に３回目の投入を行う。抽選券判別装置１は図４の「Ａ」の処理に進む。「Ａ」の処理については後述する。
【００２３】
次にリジェクト要因が２つある場合についての処理を説明する。まず、抽選期限切れの券と抽選前の券のパターンに分け（ステップ１２４）、表示画面「７」（図１１）をパターン表示し（ステップ１２５）、抽選期限切れの券をＢスタッカに、抽選前の券をＣスタッカに排出する（ステップ１２６）。オペレータは表示画面「７」のパターン表示にしたがって、所定の処理を行う。
【００２４】
次に抽選期限切れの券と不読券のパターンに分け（ステップ１２７）、不読券の枚数が１枚か２枚以上かに分け（ステップ１２８）、枚数が１枚の場合は、表示画面「８」（図１２）をパターン表示し（ステップ１２９）、抽選期限切れの券をＢスタッカに、不読券をＣスタッカに排出する（ステップ１３０）。オペレータは表示画面「８」のパターン表示にしたがって、Ｃスタッカに排出された不読券１枚の不読原因の確認を行う。不読券の枚数が２枚以上の場合は、表示画面「９」（図１３）をパターン表示し（ステップ１３１）、抽選期限切れの券をＢスタッカに、不読券をＣスタッカに排出する（ステップ１３２）。オペレータは表示画面「９」のパターン表示にしたがって、Ｃスタッカに排出された不読券を抽選券挿入口３に３回目の投入を行う。抽選券判別装置１は図４の「Ａ」の処理に進む。
【００２５】
次に抽選前の券と不読券のパターンに分け（ステップ１３３）、不読券の枚数が１枚か２枚以上かに分け（ステップ１３４）、枚数が１枚の場合は表示画面「１１」（図１５）をパターン表示し（ステップ１３５）、抽選前の券をＢスタッカに、不読券をＣスタッカに排出する（ステップ１３６）。オペレータは表示画面「１１」のパターン表示にしたがい、Ｃスタッカに排出された不読券１枚の不読原因の確認を行う。不読券の枚数が２枚以上の場合は、表示画面「１０」（図１４）をパターン表示し（ステップ１３７）、抽選前の券をＢスタッカに、不読券をＣスタッカに排出する（ステップ１３８）。オペレータはオペレータは表示画面「１０」のパターン表示にしたがい、Ｃスタッカに排出された不読券を抽選券挿入口３に３回目の投入を行う。抽選券判別装置１は図４の「Ａ」の処理に進む。
【００２６】
次にリジェクト要因が、抽選期限切れの券と、抽選前の券と、不読券のパターンに分け、不読券の枚数が１枚か２枚以上かに分け（ステップ１３９）、枚数が１枚の場合は、表示画面「１３」（図１７）をパターン表示し（ステップ１４０）、抽選期限切れの券と抽選前の券をＢスタッカに、不読券をＣスタッカに排出する（ステップ１４１）。オペレータは表示画面「１３」のパターン表示にしたがい、Ｃスタッカに排出された不読券１枚の不読原因の確認を行う。不読券の枚数が２枚以上の場合は、表示画面「１２」（図１６）を表示し（ステップ１４２）、抽選期限切れの券と抽選前の券をＢスタッカに、不読券をＣスタッカに排出する。オペレータはＣスタッカに排出された不読券を抽選券挿入口３に３回目の投入を行う。抽選券判別装置１は図４の「Ａ」の処理に進む。
【００２７】
以上の処理では、照合判定後、あたり券やはずれ券以外に、照合判定はできたが期限切れの券や抽選前の券がある場合は、オペレータが処理しやすいように、それらを、あたり券やはずれ券とは別にしてＣスタッカに排出し且つその旨の画面表示をするようにしている。また、不読券がある場合は、１枚であればオペレータが容易に確認できるようにしＣスタッカに排出し、且つその旨の表示を行い、不読券が複数枚ある場合は、Ｃスタッカに排出し、次の処理「Ａ」に進めるために抽選券挿入口に再投入することを画面表示で促すようにしている。
【００２８】
続いて不読券の不読の要因を推定するための処理「Ａ」を図４を用いて説明する。本実施例においては、不読の要因を、抽選券の汚れ、破れ、裏返し、券以外に分類する。制御部２は、ホストコンピュータ２０が照合判定できずにリジェクトした抽選券について、バーコードリーダ６が読取ったイメージデータを分析し、抽選券の「汚れ」、「破れ」、「裏返し」、「券以外」を推定する。バーコードリーダ６が読取ったイメージデータの濃度を検査することにより、バーコード印刷領域の黒の濃度が高く全体的に広がっている場合には券が汚れていると推定できる。イメージデータに連続性がない場合は券の破れであると推定することができる。また、バーコード印刷領域の黒の濃度が低い場合は、裏透け文字を読取った可能性があるので券が裏返しであると推定できる。イメージデータがまったく読取れない場合や読取れてもバーコードとして認識できない場合は抽選券以外の可能性があるので「券以外」と推定することができる。
【００２９】
オペレータが不読券を、抽選券判別装置１の抽選券挿入口３に、３回目の投入を行うと（ステップ２００）、新規に追加された抽選券や新たにバーコードが読取れた抽選券がある場合（ステップ２０１）は、「Ｂ」の処理に進み、図３のステップ１０１の処理を行う。
【００３０】
新たに通番が採れる抽選券がなく不読券のみの場合は、まず、抽選券の汚れと（ステップ２０２）、破れと（ステップ２０５）、裏返しと（ステップ２０８）、それ以外の券（ステップ２１１）に分け、抽選券の汚れのみの場合（ステップ２０２）は、表示画面「１４」をパターン表示し（ステップ２０３）、Ｃスタッカに排出する（ステップ２０４）。オペレータは表示画面「１４」のパターン表示にしたがい、Ｃスタッカに排出された抽選券が「券の汚れ」でリジェクトされたことを確認する。
【００３１】
不読券が抽選券の破れのみの場合（ステップ２０５）は、表示画面「１５」（図１９）をパターン表示し（ステップ２０６）、Ｃスタッカに排出する（ステップ２０７）。オペレータは表示画面「１５」のパターン表示にしたがい、Ｃスタッカに排出された抽選券が「券の破れ」でリジェクトされたことを確認する。
【００３２】
不読券が抽選券の裏返しのみの場合（ステップ２０８）は、表示画面「１６」（図２０）をパターン表示し（ステップ２０９）、Ｃスタッカに排出する（ステップ２１０）。オペレータは表示画面「１６」のパターン表示にしたがい、Ｃスタッカに排出された抽選券が「裏返し券」でリジェクトされたことを確認する。
【００３３】
不読券がそれ以外の券のみの場合（ステップ２１１）は、表示画面「１７」（図２１）をパターン表示し（ステップ２１２）、Ｃスタッカに排出する（ステップ２１３）。オペレータは表示画面「１７」のパターン表示にしたがい、Ｃスタッカに排出された券が「それ以外の券」でリジェクトされたことを確認する。
【００３４】
次に不読の要因が２つある場合について説明する。まず、抽選券の汚れと、抽選券の破れのパターンに分け（ステップ２１４）、表示画面「１８」（図２２）をパターン表示し（ステップ２１５）、汚れ券はＢスタッカに、破れ券はＣスタッカに排出する（ステップ２１６）。オペレータは表示画面「１８」のパターン表示にしたがい、Ｂスタッカに排出された券が「券の汚れ」で、Ｃスタッカに排出された券が「券の破れ」でリジェクトされたことを確認する。
【００３５】
次に抽選券の汚れと、抽選券の裏返しのパターンに分け（ステップ２１７）、表示画面「１９」（図２３）をパターン表示し（ステップ２１８）、汚れ券はＢスタッカに、裏返し券はＣスタッカに排出する（ステップ２１９）。オペレータは表示画面「１９」のパターン表示にしたがい、Ｂスタッカに排出された券が「券の汚れ」で、Ｃスタッカに排出された券が「券の裏返し」でリジェクトされたことを確認する。
【００３６】
次に抽選券の汚れと、それ以外の券のパターンに分け（ステップ２２０）、表示画面「２０」（図２４）をパターン表示し（ステップ２２１）、汚れ券はＢスタッカに、それ以外の券はＣスタッカに排出する（ステップ２２２）。オペレータは表示画面「２０」のパターン表示にしたがい、Ｂスタッカに排出された券が「券の汚れ」で、Ｃスタッカに排出された券が「それ以外の券」でリジェクトされたことを確認する。
【００３７】
次に抽選券の破れと、抽選券の裏返しのパターンに分け（ステップ２２３）、表示画面「２１」（図２５）をパターン表示し（ステップ２２４）、破れ券はＢスタッカに、裏返しの券はＣスタッカに排出する（ステップ２２５）。オペレータは表示画面「２１」のパターン表示にしたがい、Ｂスタッカに排出された券が「券の破れ」で、Ｃスタッカに排出された券が「券の裏返し」でリジェクトされたことを確認する。
【００３８】
次に抽選券の破れと、それ以外の券のパターンに分け（ステップ２２６）、表示画面「２２」（図２６）をパターン表示し（ステップ２２７）、破れ券はＢスタッカに、それ以外の券はＣスタッカに排出する（ステップ２２８）。オペレータは表示画面「２２」のパターン表示にしたがい、Ｂスタッカに排出された券が「券の破れ」で、Ｃスタッカに排出された券が「それ以外の券」でリジェクトされたことを確認する。
【００３９】
次に抽選券の裏返しと、それ以外の券のパターンに分け（ステップ２２９）、表示画面「２３」（図２７）をパターン表示し（ステップ２３０）、裏返し券はＢスタッカに、それ以外の券はＣスタッカに排出する（ステップ２３１）。オペレータは表示画面「２３」のパターン表示にしたがい、Ｂスタッカに排出された券が「券の裏返し」で、Ｃスタッカに排出された券が「それ以外の券」でリジェクトされたことを確認する。
【００４０】
次にリジェクト要因が３つある場合について説明する。まず、抽選券の汚れと、抽選券の破れと、抽選券の裏返しのパターンに分け（ステップ２３２）、表示画面「２４」（図２８）をパターン表示し（ステップ２３３）、汚れ券はＡスタッカに、破れ券はＢスタッカに、裏返しの券はＣスタッカに排出する（ステップ２３４）。オペレータは表示画面「２４」のパターン表示にしたがい、Ａスタッカに排出された券が「券の汚れ」で、Ｂスタッカに排出された券が「券の破れ」で、Ｃスタッカに排出された券が「券の裏返し」でリジェクトされたことを確認する。
【００４１】
次に抽選券の汚れと、抽選券の破れと、それ以外の券のパターンに分け（ステップ２３５）、表示画面「２５」（図２９）をパターン表示し（ステップ２３６）、汚れ券はＡスタッカに、破れ券はＢスタッカに、それ以外の券はＣスタッカに排出する（ステップ２３７）。オペレータは表示画面「２５」のパターン表示にしたがい、Ａスタッカに排出された券が「券の汚れ」で、Ｂスタッカに排出された券が「券の破れ」で、Ｃスタッカに排出された券が「それ以外の券」でリジェクトされたことを確認する。
【００４２】
次に抽選券の汚れと、抽選券の裏返しと、それ以外の券のパターンに分け（ステップ２３８）、表示画面「２６」をパターン表示し（ステップ２３９）、汚れ券はＡスタッカに、裏返し券はＢスタッカに、それ以外の券はＣスタッカに排出する（ステップ２４０）。オペレータは表示画面「２６」のパターン表示にしたがい、Ａスタッカに排出された券が「券の汚れ」で、Ｂスタッカに排出された券が「券の裏返し」で、Ｃスタッカに排出された券が「それ以外の券」でリジェクトされたことを確認する。
【００４３】
次に抽選券の破れと、抽選券の裏返しと、それ以外の券のパターンに分け（ステップ２４１）、表示画面「２７」をパターン表示し（ステップ２４２）、破れ券はＡスタッカに、裏返し券はＢスタッカに、それ以外の券はＣスタッカに排出する（ステップ２４３）。オペレータは表示画面「２７」のパターン表示にしたがい、Ａスタッカに排出された券が「券の破れ」で、Ｂスタッカに排出された券が「券の裏返し」で、Ｃスタッカに排出された券が「それ以外の券」でリジェクトされたことを確認する。
【００４４】
次に抽選券の汚れと、抽選券の破れと、抽選券の裏返しと、それ以外の券のパターンを持つ表示画面「２８」を表示し（ステップ２４４）、汚れ券と破れ券はＡスタッカに、裏返し券はＢスタッカに、それ以外の券はＣスタッカに排出する（ステップ２４５）。オペレータは表示画面「２８」のパターン表示にしたがい、Ａスタッカに排出された券が「券の汚れと破れ」で、Ｂスタッカに排出された券が「券の裏返し」で、Ｃスタッカに排出された券が「それ以外の券」でリジェクトされたことを確認する。
【００４５】
以上、不読券の不読の要因を推定するための処理「Ａ」を説明した。本実施例によれば、不読券を抽選券判別装置に３回投入することにより、抽選券判別装置は不読の要因を分析し、要因のパターン別に表示装置に表示し、さらに、排出先のスタッカ画面を表示するので、オペレータが不読券の不読の原因を確認するのが非常に容易となる。
【００４６】
【発明の効果】
本発明は、単数又は一括投入された複数枚の抽選券の照合確認と、照合できずにリジェクトされた券の要因を推定し、リジェクト要因をパターン別に画面表示し、合わせて排出先のスタッカ画面を表示するので、リジェクト券に対するオペレータの確認作業を軽減できる効果がある。
【図面の簡単な説明】
【図１】本発明の一実施例による抽選券判別装置の構成と、抽選券判別装置をホストコンピュータに接続したシステムの構成を示す図である。
【図２】ホストコンピュータが付属の記憶装置に保有する当選番号と賞金額のテーブルを示す図である。
【図３】図３は本発明の一実施例による抽選券判別装置をホストコンピュータに接続したシステムの処理動作を示すフローチャートである。
【図４】本発明の一実施例による抽選券判別装置の不読券の不読の要因を推定する処理を示すフローチャートである。
【図５】図５は本発明の一実施例による抽選券判別装置の照合判定結果の組合せパターン別表示画面と排出先スタッカ表示画面を示す図である。
【図６】図６は本発明の一実施例による抽選券判別装置の照合判定結果の組合せパターン別表示画面と排出先スタッカ表示画面を示す図である。
【図７】図７は本発明の一実施例による抽選券判別装置の照合判定結果の組合せパターン別表示画面と排出先スタッカ表示画面を示す図である。
【図８】図８は本発明の一実施例による抽選券判別装置の照合判定結果の組合せパターン別表示画面と排出先スタッカ表示画面を示す図である。
【図９】図９は本発明の一実施例による抽選券判別装置の照合判定結果の組合せパターン別表示画面と排出先スタッカ表示画面を示す図である。
【図１０】図１０は本発明の一実施例による抽選券判別装置の照合判定結果の組合せパターン別表示画面と排出先スタッカ表示画面を示す図である。
【図１１】図１１は本発明の一実施例による抽選券判別装置の照合判定結果の組合せパターン別表示画面と排出先スタッカ表示画面を示す図である。
【図１２】図１２は本発明の一実施例による抽選券判別装置の照合判定結果の組合せパターン別表示画面と排出先スタッカ表示画面を示す図である。
【図１３】図１３は本発明の一実施例による抽選券判別装置の照合判定結果の組合せパターン別表示画面と排出先スタッカ表示画面を示す図である。
【図１４】図１４は本発明の一実施例による抽選券判別装置の照合判定結果の組合せパターン別表示画面と排出先スタッカ表示画面を示す図である。
【図１５】図１５は本発明の一実施例による抽選券判別装置の照合判定結果の組合せパターン別表示画面と排出先スタッカ表示画面を示す図である。
【図１６】図１６は本発明の一実施例による抽選券判別装置の照合判定結果の組合せパターン別表示画面と排出先スタッカ表示画面を示す図である。
【図１７】図１７は本発明の一実施例による抽選券判別装置の照合判定結果の組合せパターン別表示画面と排出先スタッカ表示画面を示す図である。
【図１８】図１８は本発明の一実施例による抽選券判別装置の不読要因のパターン別表示画面と排出先スタッカ表示画面を示す図である。
【図１９】図１９は本発明の一実施例による抽選券判別装置の不読要因のパターン別表示画面と排出先スタッカ表示画面を示す図である。
【図２０】図２０は本発明の一実施例による抽選券判別装置の不読要因のパターン別表示画面と排出先スタッカ表示画面を示す図である。
【図２１】図２１は本発明の一実施例による抽選券判別装置の不読要因のパターン別表示画面と排出先スタッカ表示画面を示す図である。
【図２２】図２２は本発明の一実施例による抽選券判別装置の不読要因のパターン別表示画面と排出先スタッカ表示画面を示す図である。
【図２３】図２３は本発明の一実施例による抽選券判別装置の不読要因のパターン別表示画面と排出先スタッカ表示画面を示す図である。
【図２４】図２４は本発明の一実施例による抽選券判別装置の不読要因のパターン別表示画面と排出先スタッカ表示画面を示す図である。
【図２５】図２５は本発明の一実施例による抽選券判別装置の不読要因のパターン別表示画面と排出先スタッカ表示画面を示す図である。
【図２６】図２６は本発明の一実施例による抽選券判別装置の不読要因のパターン別表示画面と排出先スタッカ表示画面を示す図である。
【図２７】図２７は本発明の一実施例による抽選券判別装置の不読要因のパターン別表示画面と排出先スタッカ表示画面を示す図である。
【図２８】図２８は本発明の一実施例による抽選券判別装置の不読要因のパターン別表示画面と排出先スタッカ表示画面を示す図である。
【図２９】図２９は本発明の一実施例による抽選券判別装置の不読要因のパターン別表示画面と排出先スタッカ表示画面を示す図である。
【図３０】図３０は本発明の一実施例による抽選券判別装置の不読要因のパターン別表示画面と排出先スタッカ表示画面を示す図である。
【図３１】図３１は本発明の一実施例による抽選券判別装置の不読要因のパターン別表示画面と排出先スタッカ表示画面を示す図である。
【図３２】図３２は本発明の一実施例による抽選券判別装置の不読要因のパターン別表示画面と排出先スタッカ表示画面を示す図である。
【符号の説明】
１    抽選券判別装置                  ２    制御部
３    抽選券挿入口                    ４    分離ローラ
５    搬送路                          ６    バーコードリーダ
７    印字機構                        ８    履歴記憶部
９    スタッカ                        １０  表示装置
２０  ホストコンピュータ。
【図１】
2004272613.tif 000003
【図２】
2004272613.tif 000004
【図３】
2004272613.tif 000005
【図４】
2004272613.tif 000006
【図５】
2004272613.tif 000007
【図６】
2004272613.tif 000008
【図７】
2004272613.tif 000009
【図８】
2004272613.tif 000010
【図９】
2004272613.tif 000011
【図１０】
2004272613.tif 000012
【図１１】
2004272613.tif 000013
【図１２】
2004272613.tif 000014
【図１３】
2004272613.tif 000015
【図１４】
2004272613.tif 000016
【図１５】
2004272613.tif 000017
【図１６】
2004272613.tif 000018
【図１７】
2004272613.tif 000019
【図１８】
2004272613.tif 000020
【図１９】
2004272613.tif 000021
【図２０】
2004272613.tif 000022
【図２１】
2004272613.tif 000023
【図２２】
2004272613.tif 000024
【図２３】
2004272613.tif 000025
【図２４】
2004272613.tif 000026
【図２５】
2004272613.tif 000027
【図２６】
2004272613.tif 000028
【図２７】
2004272613.tif 000029
【図２８】
2004272613.tif 000030
【図２９】
2004272613.tif 000031
【図３０】
2004272613.tif 000032
【図３１】
2004272613.tif 000033
【図３２】
2004272613.tif 000034